(57)【要約】【課題】上階の床やベランダ等の障害物が外壁パネルの取付位置よりも外側に張り出している場合であっても、その張出部分の内側にある外壁パネルの取付位置に効率良く外壁パネルを取り付けることができる外壁パネル取付装置及び外壁パネル取付工法を提供する。【解決手段】外壁パネル取付装置１は、外壁パネル取付装置１の基材となる一対のレール部材１０と、そのレール部材１０の一端側に取り付けられ、クレーン等の吊り上げ装置に着脱可能に連結される第一支持部２０と、レール部材１０の自由端側に固定される第二支持部３０と、レール部材１０に沿って移動可能な外壁パネル保持部材４０とを主要構成要素としており、外壁パネル保持部材４０によって、外壁パネル５０を着脱可能に保持可能な構成となっている。【選択図】図１
2014198960.tif 000002
【特許請求の範囲】
【請求項１】
吊り上げ装置に懸吊されて建築物の張出部分の下側にある外壁となる位置に外壁パネルを取付ける外壁パネル取付装置であって、
前記張出部分の下面側に配置されるレール部材と、
該レール部材の一端側に取付けられ前記吊り上げ装置に着脱可能に連結されると共に前記張出部分の縁端側に当接可能な第一支持部と、
前記レール部材の自由端側に固定され前記建築物の躯体に設置可能な第二支持部と、
前記外壁パネルを着脱可能に保持すると共に前記レール部材に沿って移動する外壁パネル保持部材と、
を備えたことを特徴とする外壁パネル取付装置。
【請求項２】
前記レール部材と前記第一支持部との連結部分又は前記レール部材を回動可能としたことを特徴とする請求項１に記載の外壁パネル取付装置。
【請求項３】
前記レール部材と前記第一支持部と前記第二支持部と前記外壁パネル保持部材とを複数備えたことを特徴とする請求項１又は２に記載の外壁パネル取付装置。
【請求項４】
前記レール部材を前記張出部分の下面側に配置したときに、前記第一支持部側より前記第二支持部側の高さを相対的に低くするように勾配を付けたことを特徴とする請求項１乃至３のいずれか一項に記載の外壁パネル取付装置。
【請求項５】
吊り上げ装置に懸吊された外壁パネル取付装置によって建築物の張出部分の下側にある外壁となる位置に外壁パネルを取付ける外壁パネル取付工法であって、
前記外壁パネルを前記外壁パネル取付装置によって保持する工程と、
前記外壁パネル取付装置を前記吊り上げ装置によって懸吊して前記張出部分に当接させ設置する工程と、
前記外壁パネルを前記張出部分の下面側に沿って最初に保持した位置から前記外壁となる位置へ移動させる工程と、
前記外壁パネル取付装置から前記外壁パネルを取外して前記外壁となる位置へ取付ける工程と、
を備えたことを特徴とする外壁パネル取付工法。
【請求項６】
前記外壁パネル取付装置を前記張出部分に当接して設置させる際に、
前記外壁パネル取付装置の一部を回動させる工程を備えたことを特徴とする請求項５に記載の外壁パネル取付工法。
【発明の詳細な説明】
【技術分野】
【０００１】
本発明は、外壁パネル取付装置及び外壁パネル取付工法に係り、特に、上階の床やベランダ等の障害物が張り出している部分の下側にある外壁となる位置に外壁パネルを取付ける際に用いられる、外壁パネル取付装置及び外壁パネル取付工法に関する。
【背景技術】
【０００２】
従来から、建築物の外壁として、耐久性等に優れたサイディング、ＡＬＣ、タイル、モルタル塗装等の外壁パネルが用いられている。厚みや重量のあるそれらの外壁パネルを建築物に取付ける際には、積載ラック等に平積みされた状態から、建築現場に据え付けられたクレーン等の吊り上げ装置に懸吊された治具によって、外壁パネルの組み付け時に上方部に相当する一端部を一枚ずつ吊り上げて立て起こすように持ち上げ、建築物の所定の取付位置に取り付けることが一般的である。
【０００３】
例えば、特許文献１に記載の外壁パネル取付工法及び取付治具では、外壁パネルを取り付けた吊り治具をクレーンで楊重して、外壁パネルを所定の取付位置付近へ搬送する。そして、所定の取付位置付近に搬送したら、クレーンで建築物の外側から建築物の躯体の所定の取付位置に配置し、固定する。（特許文献１）。
【先行技術文献】
【特許文献】
【０００４】
【特許文献１】特開２０１２−５７３７０号公報
【発明の概要】
【発明が解決しようとする課題】
【０００５】
しかし、上記のように外壁パネルを取り付ける際には、外壁パネルの取付位置の上方にクレーンによって治具と共に外壁パネルを懸吊するための空間（スペース）が必要であるが、外壁パネルの取付位置の上方には障害物が存在する場合もある。
例えば、多層階の建築物の場合、上階の床やベランダが外壁パネルの取付位置よりも外側に張り出していることが多々ある。その上階の床やベランダの下側（張り出している部分の内側）に外壁パネルを取り付けようとする場合、上階の床やベランダ等が邪魔となり、クレーンで懸吊して外壁パネルを所定の取付位置まで搬送し配置することが困難である。
このような構造の建築物において、上階の床やベランダの下側に外壁パネルを取り付ける場合には、上階の床を設置する前に下階の外壁パネルを取り付けなければならなかったり、下階の外壁パネルを取り付けるために一旦設置した上階の床を取外したりしなければならない。このように、従来の治具では、上階の状況によって施工方法が限定されるという不都合が生じていた。
そのため、上階の状況にかかわらず、下階の外壁パネルを取り付けるための治具や工法が望まれていた。
【０００６】
本発明は、上記の課題に鑑みてなされたものであり、本発明の目的は、上階の床やベランダ等の障害物が外壁パネルの取付位置よりも外側に張り出している場合であっても、上階の状況にかかわらず、その上階の床やベランダの下側（張り出している部分の内側）にある外壁パネルの取付位置に効率良く外壁パネルを取り付けることができる、外壁パネル取付装置及び外壁パネル取付工法を提供することにある。
【課題を解決するための手段】
【０００７】
前記課題は、本発明の外壁パネル取付装置によれば、吊り上げ装置に懸吊されて建築物の張出部分の下側にある外壁となる位置に外壁パネルを取付ける外壁パネル取付装置であって、前記張出部分の下面側に配置されるレール部材と、該レール部材の一端側に取付けられ前記吊り上げ装置に着脱可能に連結されると共に前記張出部分の縁端側に当接可能な第一支持部と、前記レール部材の自由端側に固定され前記建築物の躯体に設置可能な第二支持部と、前記外壁パネルを着脱可能に保持すると共に前記レール部材に沿って移動する外壁パネル保持部材と、を備えたこと、により解決される。
このように、本発明の外壁パネル取付装置は、クレーン等の吊り上げ装置に懸吊した外壁パネル取付装置の一端側（第一支持部）を上階の床やベランダ等の張出部分の縁端に当接すると共に、自由端側（第二支持部）を梁等の建築物の躯体に掛止等して設置することにより、上階の床やベランダ等の張出部分の下面側にレール部材を配置し、そのレール部材に沿って、外壁パネルを保持した滑車等の移動手段を備えた外壁パネル保持部材が移動する構成とした。
これにより、外壁パネル保持部材によって保持された外壁パネルを、上階の床やベランダ等の張出部分の下面側に配置されたレール部材に沿って、クレーン等により懸吊された位置（第一支持部側）から他の位置（第二支持部側）へ移動させることができる。すなわち、張出部分の縁端側から張出部分の奥側（建造物側）に外壁パネルを容易に移動することができる。
したがって、本発明の外壁パネル取付装置であれば、上階の床やベランダ等の障害物が外壁パネルの取付位置よりも外側に張り出している場合、すなわち、外壁パネルの取付位置の上方にクレーン等で懸吊するための空間が十分に確保できない場合であっても、その上階の床やベランダの下側（張出部分の内側）にある外壁パネルの取付位置に効率良く外壁パネルを取り付けることができる。
【０００８】
このとき、前記レール部材と前記第一支持部との連結部分又は前記レール部材を回動可能とする、と好ましい。
このように、レール部材と第一支持部との連結部分を回動可能とするか、又は、レール部材の途中（好ましくは第一支持部側）にヒンジ等を設置して回動可能とすることにより、外壁パネル取付装置を上階の床やベランダ等の張出部分に設置し易くなり、作業効率がさらに向上する。
【０００９】
また、前記レール部材と前記第一支持部と前記第二支持部と前記外壁パネル保持部材とを複数備える、と好ましい。
このように、外壁パネル取付装置を、レール部材と第一支持部と第二支持部と外壁パネル保持部材とを複数（例えば二組）備える構成とすれば、上階の床やベランダ等の張出部分に強固に設置できると共に、外壁パネルを安定して保持することができ、外壁パネルを安全確実に懸吊した位置から所定の取付位置まで移動させることができる。
【００１０】
さらに、前記レール部材を前記張出部分の下面側に配置したときに、前記第一支持部側より前記第二支持部側の高さを相対的に低くするように勾配を付ける、と好ましい。
例えば、外壁パネル取付装置のレール部材を張出部分の下面側に配置したときに、通常よりも少し上方に懸吊することにより、レール部材の第一支持部側より第二支持部側の高さを相対的に低くするように勾配を付けることができる。これにより、レール部材に沿って外壁パネルの移動させることが容易となり、作業効率がさらに向上する。
【００１１】
また、前記課題は、本発明の外壁パネル取付工法によれば、吊り上げ装置に懸吊された外壁パネル取付装置によって建築物の張出部分の下側にある外壁となる位置に外壁パネルを取付ける外壁パネル取付工法であって、前記外壁パネルを前記外壁パネル取付装置によって保持する工程と、前記外壁パネル取付装置を前記吊り上げ装置によって懸吊して前記張出部分に当接させ設置する工程と、前記外壁パネルを前記張出部分の下面側に沿って最初に保持した位置から前記外壁となる位置へ移動させる工程と、前記外壁パネル取付装置から前記外壁パネルを取外して前記外壁となる位置へ取付ける工程と、を備えたこと、により解決される。
このように、本発明の外壁パネル取付工法は、外壁パネルを外壁パネル取付装置によって保持し、その外壁パネル取付装置をクレーン等の吊り上げ装置によって懸吊して上階の床やベランダ等の張出部分に当接させて設置し、外壁パネルをその張出部分の下面側に沿って最初に保持した位置（クレーン等により懸吊された位置）から前記外壁となる位置へ移動させることができる。すなわち、張出部分の縁端側から張出部分の奥側（建造物側）に外壁パネルを容易に移動させることができる。
したがって、本発明の外壁パネル取付工法であれば、上階の床やベランダ等の障害物が外壁パネルの取付位置よりも外側に張り出している場合、すなわち、外壁パネルの取付位置の上方にクレーン等で懸吊するための空間が十分に確保できない場合であっても、その上階の床やベランダの下側（張出部分の内側）にある外壁パネルの取付位置に効率良く外壁パネルを取り付けることができる。
【００１２】
このとき、前記外壁パネル取付装置を前記張出部分に当接して設置させる際に、前記外壁パネル取付装置の一部を回動させる工程を備える、と好ましい。
このように、外壁パネル取付装置の一部を回動可能とすれば、外壁パネル取付装置を上階の床やベランダ等の張出部分に設置し易くなり、作業効率がさらに向上する。
【発明の効果】
【００１３】
本発明の外壁パネル取付装置及び外壁パネル取付工法によれば、上階の床やベランダ等の障害物が外壁パネルの取付位置よりも外側に張り出している場合、すなわち、外壁パネルの取付位置の上方にクレーン等で懸吊するための空間が十分に確保できない場合であっても、その上階の床やベランダの下側（張出部分の内側）にある外壁パネルの取付位置に効率良く外壁パネルを取り付けることができる。
【図面の簡単な説明】
【００１４】
【図１】本発明に係る外壁パネル取付装置を示す概略斜視図である。
【図２】本発明に係る外壁パネル取付装置を分解した状態を示す部分拡大図である。
【図３】本発明に係る外壁パネル取付装置を建築物の張出部分に取り付けた状態を示す概略側面図である。
【図４】本発明に係る外壁パネル取付装置を建築物の張出部分に取り付けた他の状態を示す概略側面図である。
【図５】本発明に係る外壁パネル取付装置の他の実施形態を示す概略斜視図である。
【図６】本発明に係る外壁パネル取付装置の他の実施形態の動作を示す参考図である。
【発明を実施するための形態】
【００１５】
以下、本発明の実施形態について図を参照して説明する。なお、以下に説明する部材、配置等は、本発明を限定するものではなく、本発明の趣旨に沿って各種改変することができる。
【００１６】
図１は、本発明に係る外壁パネル取付装置を示す概略斜視図である。図２は、本発明に係る外壁パネル取付装置の分解した状態を示す部分拡大図である。図３は、本発明に係る外壁パネル取付装置を建築物の張出部分に取り付けた状態を示す概略側面図である。図４は、本発明に係る外壁パネル取付装置を建築物の張出部分に取り付けた他の状態を示す概略側面図である。
なお、以下の説明における前後方向とは外壁パネル取付装置を構成するレール部材の長手方向であり、外壁パネルの取り付け時にその外壁パネルの内側となる方向が前方側、外側となる部分が後方側である。
【００１７】
本実施形態は、クレーン等の吊り上げ装置に懸吊されて建築物の張出部分の下側にある外壁となる位置に外壁パネルを取付ける外壁パネル取付装置及び外壁パネル取付工法の発明に関するものである。
本実施形態に係る外壁パネル取付装置１は、図１に示すように、外壁パネル取付装置１の基材となる一対のレール部材１０と、そのレール部材１０の一端側に取り付けられ、クレーン等の吊り上げ装置に着脱可能に連結される第一支持部２０と、第一支持部２０の反対側でレール部材１０の自由端側に固定される第二支持部３０と、レール部材１０に沿って移動可能な外壁パネル保持部材４０とを主要構成要素としており、外壁パネル保持部材４０によって、外壁パネル５０を着脱可能に保持可能な構成となっている。
【００１８】
図２に示すように、レール部材１０は、外壁パネル取付装置１の基材となる部材であって、金属材料から形成されたＣ形鋼形状の長尺体からなり、一対の支持片１０ａと、支持片１０ａと平行に配置される天片１０ｂと、天片１０ｂと支持片１０ａとを接続する一対の側片１０ｃとから構成される。支持片１０ａと支持片１０ａの間には、レール部材１０の長手方向に沿ってスリット１０ｄが形成されている。
レール部材１０の両端面は、矩形板状体の閉鎖部材１１を溶接等によって接合することにより閉鎖端面となっており、その閉鎖部材１１により囲まれたレール部材１０の内部空間には、後述する外壁パネル保持部材４０が移動可能に保持されている。閉鎖部材１１には支持片１０ａ側から閉鎖端面１１の略中央付近までスリット１１ａが形成されている。
【００１９】
レール部材１０の一端側（後方側）には、第一支持部２０が溶接等の剛接合により取り付けられている。一方、長手方向反対側の自由端側（前方側）には天片１０ｂの上面側に第二支持部３０が溶接等の剛接続により固着されている。
図３に示すように、外壁パネル取付装置１を建築物の張出部分６０に取り付けた際には、レール部材１０は、天片１０ｂの上面側が、上階の床やベランダ等の張出部分６０の下側面６０ｃに位置し（当接してもよい）、支持片１０ａの間に形成されたスリット１０ｄを下向きにした状態となる。
【００２０】
第一支持部２０は、その一端側（下方側）をレール部材１０の一端側（後方側）に取り付けられる金属材料から成る部材であって、側面からみてレール部材１０の長尺方向に対して直角方向に屈折した略Ｌ字形状の折り曲げ体である。
第一支持部２０の一端側（下方側）は、溶接等の剛接合により、レール部材１０に取り付けられている。
レール部材１０との接合箇所、すなわち、第一支持部２０の一端側（下方側）から屈折位置までの長さは、張出部分６０の厚みより大きくして張出部分６０に干渉しないように形成されている。本実施形態では、２５０ｍｍ程度の長さとしているが、これに限られるものではない。
【００２１】
図３に示すように、略Ｌ字形状に屈折している内側の面は、上階の床やベランダ等の張出部分６０の縁端面６０ａに当接する当接面２０ａと、張出部分６０の上側の面６０ｂの一部に当接する当接面２０ｂとから構成される。
第一支持部２０の自由端側（上方側）の外側面２０ｃの所定位置には、外壁パネル取付装置１を吊り上げる際に用いられる吊り具２１が取り付けられる。吊り具２１は、金属材料からなり、懸吊部材であるワイヤー６１の先端に連結されたフック６２を挿入して取付可能な環状の孔２２を備えている。これにより、第一支持部２０は、ワイヤー６１を介して不図示のクレーン等の吊り上げ装置に着脱可能に連結される。
【００２２】
第二支持部３０は、第一支持部２０の反対側でレール部材１０の自由端側（前方側）の天片１０ｂの上面側に溶接等の剛接合により固着された金属材料から成る略鈎形板状体であり、その一部がレール部材１０の長手方向（前方側）に延出した構成である。
図３に示すように、外壁パネル取付装置１を建築物の張出部分６０に取り付けた際には、その第二支持部３０の延出した部分の下側面３０ａの一部は、建築物の梁６３等の躯体の一部分の上側の面に当接する。
【００２３】
図２に示すように、外壁パネル保持部材４０は、外壁パネル５０を保持する矩形板状体のプレート部材４１と、一対の車輪４２及びその車輪４２を回転させるための軸４３から成る双輪の移動用部材４４と、そのプレート部材４１と移動用部材４４とを連結した略円柱状の連結部材４５とから構成される。
プレート部材４１には、外壁パネル５０を保持するための不図示の取付用金具（ボルト等）を貫通させるための取付穴４６が形成されている。外壁パネル保持部材４０によって外壁パネル５０を保持する際には、プレート部材４１の下面側を外壁パネル５０（パネルフレーム５２）の上面側に当接させ取付用金具で固定する。
なお、外壁パネル保持部材４０によって外壁パネル５０を保持する構造は、上記に限らず、外壁パネルを確実に保持できると共に、簡易に取り付け及び取り外しができる構造であればよい。
【００２４】
上記構成の外壁パネル保持部材４０は、移動用部材４４と連結部材４５とがレール部材１０のスリット１０ｄを介して、レール部材１０の内部に移動可能に収容されている。
このとき、移動用部材４４を構成する一対の車輪４２は、それぞれレール部材１０の支持片１０ａ上をレール部材１０の長手方向に走行可能に支持される。連結部材４５の太さはスリット１０ｄの広さよりも小さく形成されており、連結部材４５は支持片１０ａと支持片１０ａとの間に形成されたスリット１０ｄ内を、支持片１０ａと干渉せずに移動可能である。
このように、本実施形態では、外壁パネル保持部材４０によって外壁パネル５０を固定して懸吊する。その外壁パネル５０の上部にはレール部材１０が存在しており、そのレール部材１０の長手方向に沿って外壁パネル５０がぶら下がるように移動する、いわゆる懸垂式モノレールと同様の構成である。
【００２５】
外壁パネル５０は、建築物の外壁を構成する矩形状の部材であって、図１に示すように、矩形状の面材５１と、面材５１に固定された矩形状のパネルフレーム５２とから主に構成されている。
面材５１は、セラミック系の外壁材や耐水合板等から形成され、面材５１の建物の屋内側となる内面には、パネルフレーム５２が不図示の結合用ビス等により固定されている。
【００２６】
パネルフレーム５２は、断面略コ字形状の金属製の長尺部材を溶接等して矩形状に枠組みすることにより形成されている。パネルフレーム５２の外側面には、所定の間隔をおいて形成された不図示のパネル組み立て用のボルト穴や溝が形成されている。
なお、枠組みされたパネルフレーム５２によって囲まれる空間には、グラスウールや発泡ウレタン等から構成される不図示の断熱材が充填されている。
パネルフレーム５２の上端側の外側面の所定位置には、外壁パネル５０を吊り上げる際に用いられる外壁パネル保持部材４０を取り付けるための取付穴５３が形成されている。
【００２７】
本実施形態における外壁パネル取付装置１は、レール部材１０と第一支持部２０及び第二支持部３０をそれぞれ溶接等の剛接合により取り付けているが、取付方法はこれに限定されない。
例えば、レール部材１０と第一支持部２０や第二支持部３０とは、回動したり取外したりできる構成としても良い。
また、レール部材１０と第一支持部２０や第二支持部３０とは、適宜一体形成して部品数を削減して製造しても良い。
【００２８】
本実施形態における外壁パネル取付装置１は、それぞれ一対のレール部材１０、第一支持部２０、第二支持部３０及び外壁パネル保持部材４０とから成り、クレーンによって二箇所で懸吊される（いわゆる２点吊り）と共に、外壁パネル５０を二箇所で保持する構成であるが、これに限定されるものでない。
また、外壁パネル５０の取付穴５３の個数や配置についても、外壁パネル５０の吊り上げが可能であれば、適宜個数及び配置を変更しても良い。
【００２９】
本実施形態におけるレール部材１０は、Ｃ形鋼形状の長尺体を用いているが、これに限定されることなく、Ｈ形鋼や山形鋼でも良いし、レール部材１０の長手方向に沿って外壁パネル保持部材４０が移動可能な構造であれば、所定幅の長尺な板体等を用いることもできる。
また、レール部材１０の形状に合わせて、外壁パネル保持部材４０の移動用部材４４を適宜変更することもできる。例えば、移動手段は車輪４２に限定しなくても良い。
【００３０】
レール部材１０、第一支持部２０、第二支持部３０等の素材は、金属材料に限定されるものではなく、張出部分６０に取付可能であり、外壁パネル５０の重量に耐えることができる程度に剛性の高いものであればよい。
また、外壁パネル５０や張出部分６０に当接する面に、ウールやウレタン等からなるクッション部材を別途取付けても良い。このようにすれば、外壁パネル取付装置１との接触による外壁パネル５０や張出部分６０の損傷又は破損等を好適に防止することができる。
【００３１】
本実施形態における外壁パネル取付装置１は、その他、上記構成に限定されることなく、外壁パネル５０を懸吊でき、且つ、移動させることができる構成となっていれば適宜変更可能である。
【００３２】
次に、上記構成の外壁パネル取付装置１によって、所定の取付位置６６に外壁パネル５０を取り付ける工法について、説明する。
【００３３】
まず、図１に示すように、外壁パネル取付装置１の第一支持部２０に備えられた吊り具２１の孔２２には、懸吊部材であるワイヤー６１の先端に連結されたフック６２を取り付け、外壁パネル取付装置１を、ワイヤー６１を介して不図示のクレーン等の吊り上げ装置に連結する。
上記の通り、外壁パネル取付装置１と吊り上げ装置とを連結したら、吊り上げ装置により、外壁パネル取付装置１をいわゆる２点吊りの状態で吊り上げて、積載ラック等に平積みされている外壁パネル５０の位置まで移動させる。
【００３４】
外壁パネル取付装置１を外壁パネル５０の位置まで移動させたら、レール部材１０の内部空間に収容されている外壁パネル保持部材４０のプレート部材４１を、それぞれ外壁パネル５０のパネルフレーム５２の上面側に形成されている二箇所の取付穴５３の位置に合わせて、プレート部材４１の下面側をパネルフレーム５２の上面側に当接させる。
そして、不図示のボルト等の取付用金具によって、それぞれのプレート部材４１とパネルフレーム５２とを固定して（本実施形態では二箇所）、外壁パネル保持部材４０を外壁パネル５０に取り付ける。
【００３５】
上記の通り、外壁パネル取付装置１に外壁パネル５０を取り付けたら、吊り上げ装置により、外壁パネル取付装置１と共に外壁パネル５０をいわゆる２点吊りの状態で吊り上げる。
このとき、閉鎖部材１１にもスリット１１ａを形成しているので、外壁パネル保持部材４０は、レール部材１０に対して９０度の角度までプレート部材４１の向きを変えることができる。そのため、スムーズに外壁パネル５０を持ち上げることができる。
【００３６】
吊り上げ装置により懸吊された状態の外壁パネル取付装置１を、外壁パネル５０を取り付ける所定の取付位置６６付近まで搬送する。
なお、本実施形態における外壁パネル取付装置１は、多層階の建築物の上階の床やベランダ等の張出部分６０が外壁パネル５０の取付位置６６よりも外側に張り出している場合において、その張出部分６０の下側の取付位置６６に外壁パネル５０を取り付けることを得意とする。
【００３７】
張出部分６０は、梁６３や不図示の柱等の建築物の躯体に、溶接や高力ボルト等の接合手段によって固定設置された、外壁パネル５０の取付位置６６よりも上階部分の床やベランダの躯体に相当する部分である。
その構造は、例えば、梁６３，６４，６５及び不図示の梁等によって四方を囲まれる矩形状の躯体である。この張出部分６０には、別工程の工事によって、上面に床材を設置したり、内部空間にグラスウールや発泡ウレタン等から構成される断熱材を充填したりする。
なお、この梁６３，６４，６５等により構成される張出部分６０の厚さは、本実施形態においては、２５０ｍｍ程度であるが、これに限定されるものではない。
【００３８】
梁６３，６４，６５等は、建築物の水平方向に架けられる鉄骨材であり、本実施形態においては、金属材料から成るＨ形鋼である。
なお、梁６３，６４，６５等は、本実施形態のようなＨ形鋼に限らず、角形鋼、溝型鋼、山型鋼、Ｉ形鋼、鋼管等でも構わない。特に、梁６３は、外壁パネル支持装置１の第二支持部３０を掛止等して設置できればよい。
【００３９】
Ｈ形鋼である梁６３は、上下のフランジ６３ａ，６３ｂとウェブ６３ｃから成り、張出部分６０の付け根側（建築物側）に張出部分６０の張出方向に対して直角方向に架けられる材である。張出部分６０の一部材であると共に、建築物の躯体の一部を構成している。
Ｈ形鋼である梁６４は、上下のフランジ６４ａ，６４ｂとウェブ６４ｃから成り、張出部分６０の先端側に張出部分６０の張出方向に対して直角方向に架けられる材である。上下のフランジ６４ａ，６４ｂの一端面は張出部分６０の縁端面６０ａを形成する。
梁６５は、上下のフランジ６５ａ，６５ｂとウェブ６５ｃから成り、張出部分６０の張出方向に対して平行方向に架けられる材であり、不図示の梁と対を成すものである。
張出部分６０は、これらの梁６３，６４，６５及び不図示の梁等が溶接等の剛接合により接合された枠体により構成されており、梁６３，６４，６５等の上側のフランジ６３ａ，６４ａ，６５ａの上面が張出部分６０の上側面６０ｂを形成し、下側のフランジ６３ｂ，６４ｂ，６５ｂの下面が張出部分６０の下側面６０ｃを形成する。
【００４０】
外壁パネル５０の取付位置６６は、建築物の躯体の一部分に形成される空間であって、建築物の外壁となる位置である。
外壁パネル５０の取付位置６６の上側には、外壁パネルを取り付けるための略Ｌ字形状の留め金具６７が躯体（梁６３）に固定されている。留め金具６７には、外壁パネル５０を取り付けるための不図示のボルト穴が形成されている。
外壁パネル５０の取付位置６６の下側には、外壁パネル５０の下端側の外側面に形成された不図示の溝が嵌合可能な嵌合部６９を上部に形成した取付枠６８が固定されている。
【００４１】
上記構成の張出部材６０及び取付位置６６付近まで、外壁パネル取付装置１を搬送したら、外壁パネル取付装置１のレール部材１０の自由端側（前方側）を張出部分６０の下側空間に挿入する。
このとき、外壁パネル取付装置１の第一支持部２０の当接面２０ａを張出部分６０の縁端面６０ａに当接すると共に、第一支持部２０の当接面２０ｂを張出部分６０の上側面６０ｂの一部に当接させる。これにより、第一支持部２０は張出部分６０に引っ掛けて固定される状態となる。
なお、外壁パネル取付装置１は、張出部分６０の上下に隙間なく嵌合させる構成としてもよいが、レール部材１０の天片１０ｂの上面側と張出部分６０の下側面６０ｃとの間に少々隙間を形成し、ゆとりをもたせることが現実的であり、好ましい。
【００４２】
第一支持部２０を張出部分６０に引っ掛けて固定した後、レール部材１０の自由端側を人力等で持ち上げつつ、第二支持部３０を梁６３に掛止する。
具体的には、第二支持部３０の下側面３０ａの一部を梁６３の下側フランジ６３ｂの上側の面に当接する。すなわち、第二支持部３０を梁６３の下側フランジ６３ｂに乗せることにより、第二支持部３０を梁６３に掛止する。
このとき、支持片１０ａの間に形成されたスリット１０ｄは下向き状態となり、外壁パネル保持部材４０を介して連結されているパネル部材５０は、レール部材１０の下側にぶら下がる状態となる。
【００４３】
これにより、図３に示すように、クレーンで懸吊された状態の外壁パネル取付装置１は、レール部材１０の後方側が第一支持部２０によって張出部分６０の縁端部６０ａ側に当接固定され、レール部材１０の前方側が第二支持部３０によって梁６３に掛止され、建築物の張出部分６０に強固に安定設置される。
【００４４】
外壁パネル取付装置１を張出部分６０に設置すると、張出部分６０の下側面６０ｃにレール部材１０が配置される。
張出部分６０の下側面６０ｃにレール部材１０を配置したら、外壁パネル５０を保持した状態の外壁パネル保持部材４０を、レール部材１０の長手方向に沿って後方側（第一支持部２０側）から前方側（第二支持部３０側）へと人力で移動させる。
このとき、クレーンによって、外壁パネル取付装置１の後方側（第一支持部２０側）を通常よりもさらに上方に懸吊することにより、レール部材１０の第一支持部２０側より第二支持部３０側の高さを相対的に低くするように勾配を付けてもよい。勾配をつければ、外壁パネル保持部材４０に保持した外壁パネル５０の移動にかかる人力の負担を軽減することができるので、作業が容易となり、作業効率がさらに向上する。
【００４５】
図４に示すように、外壁パネル５０を所定の取付位置６６まで移動させたら、外壁パネル保持部材４０を外壁パネル５０から取り外し、外壁パネル５０を取付位置６６に取り付ける。
【００４６】
具体的には、以下のような手順となる。
まず、外壁パネル保持部材４０をレール部材１０の終点、すなわち、自由端側の閉鎖部材１１に接触するまで移動させた後、人力により、外壁パネル５０の下端側の外側面に形成された不図示の溝を、取付枠６８の嵌合部６９にやや斜め方向から嵌め込む。
このとき、閉鎖部材１１にはスリット１１ａが形成されているので、外壁パネル保持部材４０は、レール部材１０に対して９０度の角度までプレート部材４１の向きを変えることができる。そのため、スムーズに外壁パネル５０を取付枠６８の嵌合部６９に嵌め込むことができる。
【００４７】
外壁パネル５０を取付枠６８に嵌め込んで仮固定した後、外壁パネル５０から外壁パネル保持部材４０を取り外す。
このとき、外壁パネル５０は、ボルト等の取付用金具によって簡易に取り付け及び取り外しができる構造により外壁パネル保持部材４０保持されているので、簡単に取り外すことができる。
【００４８】
外壁パネル保持部材４０を取り外して、外壁パネル５０の上端側が自由になった後、人力により、外壁パネル５０の上端側を立て起こすように、外壁パネル５０の上方の内側面の一部を梁６３に固定されている留め金具６７に当接させる。
外壁パネル５０の一部と留め金具６７とを当接させた後、外壁パネル５０と留め金具６７とを不図示のボルト等により固定する。
【００４９】
このように、外壁パネル５０は、下端側は取付枠６８に嵌合され、上端側は留め金具６７に固定されることにより、所定の取付位置６６に取り付けられる。
最後に、外壁パネル取付装置１を張出部分６０から取り外すことにより作業は終了する。
【００５０】
以上の工程により、建築物の張出部分６０の下側にある所定の取付位置６６に外壁パネル５０を取り付けることができる。
【００５１】
なお、本実施形態の工法では、外壁パネル取付装置１を張出部分６０に設置する前に、外壁パネル５０を外壁パネル取付装置１に保持する工程を行っているが、先に外壁パネル取付装置１を張出部分６０に設置した後に外壁パネル５０を外壁パネル取付装置１によって保持する工程としてもよい。
【００５２】
本実施形態では、外壁パネル３０として、上記のような外壁パネルを採用したが、特に、これに限定されることなく、屋根パネル、ドアパネル等のように、建築物の障害物の下に用いられる幅、長さ、及び厚みの異なるパネルを自由な配置で取り付け可能である。
【００５３】
（他の実施形態）
次に、本発明の他の実施形態として、レール部材１０が回動可能な場合を説明する。
図５は、本発明に係る外壁パネル取付装置の他の実施形態を示す概略斜視図である。図６は、本発明に係る外壁パネル取付装置の他の実施形態の動作を示す参考図である。
【００５４】
この他の実施施形態では、外壁パネル取付装置１のレール部材１０が回動可能な構成となっている点において、上記実施形態の外壁パネル取付装置１と異なるが、その他の構成は、上記実施形態の外壁パネル取付装置１と同様である。
【００５５】
図５及び図６に示すように、本実施形態では、レール部材１０をレール部材１２とレール部材１３の二つ分割し、そのレール部材１２，１３を回動手段であるヒンジ１４により連結している。ヒンジ１４は、レール部材１０の両側片１０ｃにそれぞれ取付けられている。
これにより、レール部材１０は、ヒンジ１４による連結部分を軸として、レール部材１０の長手方向に対して直角方向（上下方向）に回動可能な構成となっている。
【００５６】
図６に示すように、ヒンジ１４は、片方のレール部材１３に固定される固定部１４ａと、他方のレール部材１２に摺動可能に当接される摺動部１４ｂとから構成される。摺動部１４ｂには、スリット１５が形成されており、そのスリット１５の長さ分だけレール部材１０の長手方向に平行に摺動する構成である。
レール部材１２の側片１０ｃには、ヒンジ１４のスリット１５内に移動可能に挿入される突起状のピン１６が形成されている。
【００５７】
片方のレール部材１３にはレール部材１３の長手方向に延出し、かつ、他方のレール部材１２の内部空間に挿入可能な補強部１７を備えている。補強部１７は、レール部材１２とレール部材１３とが連結しているときに、レール部材１２の天片１０ｂの内側に当接して、レール部材１０が回動しないように固定するものである。
なお、本実施形態においては、補強部１７はレール部材１３に形成しているが、この構成に限定されない。レール部材１２側に形成してもよいし、レール部材１２，１３の両方に形成してもよい。
【００５８】
次に、上記構成のレール部材１０の回動動作について説明する。
図６（ａ）に示すように、レール部材１３を、レール部材１０の長手方向と平行方向に、レール部材１２と引き離す方向に移動させる。これと共に、レール部材１３に固定されたヒンジ１４も移動し、ピン１６はヒンジ１４のスリット１５内をスライドする。
図６（ｂ）に示すように、レール部材１３を限界点（スリット１５の反対側端部とピン１６が接触する位置）まで移動させると、補強部１７はレース部材１２から外れると共に、レール部材１３とレール部材１２との間に隙間ができる。その隙間を利用してレール部材１３を下方向に回動させる。
図６（ｃ）に示すように、レール部材１３が下方向に回動されると、補強部１７がレール部材１２の開口端１２ａに接触し、レール部材１３は、レール部材１２に対してほぼ９０度の位置まで回動する。
なお、レール部材１２とレール部材１３とを連結してレール部材１０とする場合には、上記と逆の動作をすればよい。
【００５９】
本実施形態においては、このようにレール部材１０が回動するので、張出部分６０に固定する際に、図６（ｃ）に示すようなレール部材１０を折り曲げた状態で、第一支持部２０を張出部分６０の縁端側６０ａに引っ掛けて固定した後に、人力によりレール部材１３を持ち上げて第二支持部３０を梁６３に掛止し、第二支持部３０を梁６３に掛止した後でレール部材１２とレール部材１３を連結してレール部材１０を形成することができる。
そのため、外壁パネル取付装置１を張出部分６０に設置し易くなり、外壁パネル５０の取付作業の作業効率がさらに向上する。
【００６０】
以上二つの実施形態では、主として本発明に係る上階の床やベランダ等の張出部分の下側に外壁パネルを取り付ける装置及び工法に関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
特に、レール部材１０、第一支持部２０、第二支持部３０、外壁パネル保持部材４０の形状又は構成について、上記の実施形態にて説明したものは、あくまで一例に過ぎず、本発明を限定するものではない。
【符号の説明】
【００６１】
１    外壁パネル取付装置
１０    レール部材
１０ａ  支持片
１０ｂ  天片
１０ｃ  側片
１０ｄ  スリット
１１    閉鎖部材
１１ａ  スリット
１２    レール部材
１２ａ  開口端
１３    レール部材
１４    ヒンジ
１５    スリット
１６    ピン
１７    補強部
２０    第一支持部
２０ａ  当接面
２０ｂ  当接面
２０ｃ  外側面
２１    吊り具
２２    孔
３０    第二支持部
３０ａ  下側面
４０    外壁パネル保持部材
４１    プレート部材
４２    車輪
４３    軸
４４    移動用部材
４５    連結部材
４６    取付穴
５０    外壁パネル
５１    面材
５２    パネルフレーム
５３    取付穴
６０    張出部分
６０ａ  縁端面
６０ｂ  上側面
６０ｃ  下側面
６１    ワイヤー
６２    フック
６３    梁
６３ａ  上側フランジ
６３ｂ  下側フランジ
６３ｃ  ウェブ
６４    梁
６４ａ  上側フランジ
６４ｂ  下側フランジ
６４ｃ  ウェブ
６５    梁
６５ａ  上側フランジ
６５ｂ  下側フランジ
６５ｃ  ウェブ
６６    取付位置
６７    留め金具
６８    取付枠
６９    嵌合部
【図１】
2014198960.tif 000003
【図２】
2014198960.tif 000004
【図３】
2014198960.tif 000005
【図４】
2014198960.tif 000006
【図５】
2014198960.tif 000007
【図６】
2014198960.tif 000008